【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
エレベータのかごを駆動する駆動装置と、
前記駆動装置に設けられ、エレベータの故障発生時に前記かごを停止させるブレーキ装置と、
閉じ込め発生時に前記ブレーキ装置を強制的に開放することが可能か否かを判定するブレーキ開放可否判定手段と、
を備え、
前記ブレーキ開放可否判定手段は、
保守員がエレベータの点検時に使用する携帯用の保守端末装置から、前記ブレーキ装置を強制的に開放させるためのブレーキ開放指令が入力されているか否かを判定する開放指令入力判定部と、
前記かごの戸が全閉しているか否かを判定する戸全閉判定部と
を有し、前記開放指令入力判定部により前記保守端末装置からのブレーキ開放指令の入力有りが判定され、且つ、前記戸全閉判定部により前記かごの戸の全閉状態が判定された場合に、前記ブレーキ装置を開放して前記かごを昇降可能な状態にすることを特徴とするエレベータのブレーキ開放装置。
【請求項２】
ブレーキ開放可否判定手段は、
ブレーキ装置に故障が発生しているか否かを判定するブレーキ故障判定部
を更に備え、開放指令入力判定部により保守端末装置からのブレーキ開放指令の入力有りが判定され、且つ、戸全閉判定部によりかごの戸の全閉状態が判定され、且つ、前記ブレーキ故障判定部により前記ブレーキ装置の故障無しが判定された場合に、前記ブレーキ装置を開放して前記かごを昇降可能な状態にすることを特徴とする請求項１に記載のエレベータのブレーキ開放装置。
【請求項３】
エレベータのかごを駆動する駆動装置と、
前記駆動装置に設けられ、エレベータの故障発生時に前記かごを停止させるブレーキ装置と、
保守員がエレベータの点検時に使用する携帯用の保守端末装置に設けられ、閉じ込め発生時に前記ブレーキ装置を強制的に開放することが可能か否かを判定するブレーキ開放可否判定手段と、
を備え、
前記ブレーキ開放可否判定手段は、
前記ブレーキ装置を強制的に開放させるためのブレーキ開放指令が入力されているか否かを判定する開放指令入力判定部と、
前記かごの戸が全閉しているか否かを判定する戸全閉判定部と
を有し、前記開放指令入力判定部によりブレーキ開放指令の入力有りが判定され、且つ、前記戸全閉判定部により前記かごの戸の全閉状態が判定された場合に、前記ブレーキ装置を開放して前記かごを昇降可能な状態にすることを特徴とするエレベータのブレーキ開放装置。
【請求項４】
エレベータのかごを駆動する駆動装置と、
前記駆動装置に設けられ、エレベータの故障発生時に前記かごを停止させるブレーキ装置と、
を備えたエレベータのブレーキ開放方法であって、
保守員がエレベータの点検時に使用する携帯用の保守端末装置から、前記ブレーキ装置を強制的に開放させるためのブレーキ開放指令が入力されているか否かを判定するステップと、
前記かごの戸が全閉しているか否かを判定するステップと、
前記保守端末装置からのブレーキ開放指令の入力有りが判定され、且つ、前記かごの戸の全閉状態が判定された場合に、前記ブレーキ装置を開放して前記かごを昇降可能な状態にするステップと、
を備えたことを特徴とするエレベータのブレーキ開放方法。
【請求項５】
ブレーキ装置に故障が発生しているか否かを判定するステップ
を更に備え、
保守端末装置からのブレーキ開放指令の入力有りが判定され、且つ、かごの戸の全閉状態が判定され、且つ、前記ブレーキ装置の故障無しが判定された場合に、前記ブレーキ装置を開放して前記かごを昇降可能な状態にすることを特徴とする請求項４に記載のエレベータのブレーキ開放方法。
【請求項６】
エレベータのかごを駆動する駆動装置と、
前記駆動装置に設けられ、エレベータの故障発生時に前記かごを停止させるブレーキ装置と、
を備えた既設エレベータに、
閉じ込め発生時に前記ブレーキ装置を強制的に開放することが可能か否かを判定するブレーキ開放可否判定手段を新たに付加し、
前記ブレーキ開放可否判定手段は、
保守員がエレベータの点検時に使用する携帯用の保守端末装置から、前記ブレーキ装置を強制的に開放させるためのブレーキ開放指令が入力されているか否かを判定する開放指令入力判定部と、
前記かごの戸が全閉しているか否かを判定する戸全閉判定部と
を有し、前記開放指令入力判定部により前記保守端末装置からのブレーキ開放指令の入力有りが判定され、且つ、前記戸全閉判定部により前記かごの戸の全閉状態が判定された場合に、前記ブレーキ装置を開放して前記かごを昇降可能な状態にすることを特徴とするエレベータの改修方法。
【手続補正２】
【補正対象書類名】明細書
【補正対象項目名】００１０
【補正方法】変更
【補正の内容】
【００１０】
この発明に係るエレベータのブレーキ開放装置は、エレベータのかごを駆動する駆動装置と、駆動装置に設けられ、エレベータの故障発生時にかごを停止させるブレーキ装置と、閉じ込め発生時にブレーキ装置を強制的に開放することが可能か否かを判定するブレーキ開放可否判定手段と、を備え、ブレーキ開放可否判定手段は、保守員がエレベータの点検時に使用する携帯用の保守端末装置から、ブレーキ装置を強制的に開放させるためのブレーキ開放指令が入力されているか否かを判定する開放指令入力判定部と、かごの戸が全閉しているか否かを判定する戸全閉判定部とを有し、開放指令入力判定部により保守端末装置からのブレーキ開放指令の入力有りが判定され、且つ、戸全閉判定部によりかごの戸の全閉状態が判定された場合に、ブレーキ装置を開放してかごを昇降可能な状態にするものである。
また、この発明に係るエレベータのブレーキ開放装置は、エレベータのかごを駆動する駆動装置と、駆動装置に設けられ、エレベータの故障発生時にかごを停止させるブレーキ装置と、保守員がエレベータの点検時に使用する携帯用の保守端末装置に設けられ、閉じ込め発生時にブレーキ装置を強制的に開放することが可能か否かを判定するブレーキ開放可否判定手段と、を備え、ブレーキ開放可否判定手段は、ブレーキ装置を強制的に開放させるためのブレーキ開放指令が入力されているか否かを判定する開放指令入力判定部と、かごの戸が全閉しているか否かを判定する戸全閉判定部とを有し、開放指令入力判定部によりブレーキ開放指令の入力有りが判定され、且つ、戸全閉判定部によりかごの戸の全閉状態が判定された場合に、ブレーキ装置を開放してかごを昇降可能な状態にするものである。
【手続補正３】
【補正対象書類名】明細書
【補正対象項目名】００１１
【補正方法】変更
【補正の内容】
【００１１】
この発明に係るエレベータのブレーキ開放方法は、エレベータのかごを駆動する駆動装置と、駆動装置に設けられ、エレベータの故障発生時にかごを停止させるブレーキ装置と、を備えたエレベータのブレーキ開放方法であって、保守員がエレベータの点検時に使用する携帯用の保守端末装置から、ブレーキ装置を強制的に開放させるためのブレーキ開放指令が入力されているか否かを判定するステップと、かごの戸が全閉しているか否かを判定するステップと、保守端末装置からのブレーキ開放指令の入力有りが判定され、且つ、かごの戸の全閉状態が判定された場合に、ブレーキ装置を開放してかごを昇降可能な状態にするステップと、を備えたものである。
【手続補正４】
【補正対象書類名】明細書
【補正対象項目名】００１２
【補正方法】変更
【補正の内容】
【００１２】
この発明に係るエレベータの改修方法は、エレベータのかごを駆動する駆動装置と、駆動装置に設けられ、エレベータの故障発生時にかごを停止させるブレーキ装置と、を備えた既設エレベータに、閉じ込め発生時にブレーキ装置を強制的に開放することが可能か否かを判定するブレーキ開放可否判定手段を新たに付加し、ブレーキ開放可否判定手段は、保守員がエレベータの点検時に使用する携帯用の保守端末装置から、ブレーキ装置を強制的に開放させるためのブレーキ開放指令が入力されているか否かを判定する開放指令入力判定部と、かごの戸が全閉しているか否かを判定する戸全閉判定部とを有し、開放指令入力判定部により保守端末装置からのブレーキ開放指令の入力有りが判定され、且つ、戸全閉判定部によりかごの戸の全閉状態が判定された場合に、ブレーキ装置を開放してかごを昇降可能な状態にするものである。